(57)【要約】【課題】  遊技機の機種変更により受け皿の高さ位置が大きく変わっても、遊技媒体を払い出すことができ、かつ、遊技機の機種変更時、またはメンテナンスやメダル補給などで遊技機の前面扉を開ける際、邪魔になることのない遊技媒体貸出機およびそのノズルシュートを得る。【解決手段】  隣接して配置される遊技機の受け皿に遊技媒体を払い出す遊技媒体貸出機およびそのノズルシュートであって、ノズルシュートを構成するノズルの基端部で、上下方向に回動可能で少なくとも３段階で位置決めされ、かつ水平方向に回動自在にされている。【選択図】          図２
2005253594.tif 000002
【特許請求の範囲】
【請求項１】
隣接して配置される遊技機の受け皿に遊技媒体を払い出す遊技媒体貸出機であって、該遊技媒体貸出機に設けられたノズルシュートが、該ノズルシュートを構成するノズルの基端部で、上下方向に回動可能で少なくとも３段階で位置決めされ、かつ水平方向に回動自在にされていることを特徴とする遊技媒体貸出機。
【請求項２】
隣接して配置される遊技機の受け皿に遊技媒体を払い出す遊技媒体貸出機のノズルシュートであって、前記遊技媒体貸出機の遊技媒体払出口に取り付けられ、払い出される遊技媒体を案内する案内口を有するバックベースと、該バックベースの案内口に連なる前記遊技媒体の通路を有するノズルと、前記バックベースと前記ノズルとの間に介装されるノズルガイドとを有し、該ノズルガイドは、前記バックベースと上下方向に回動可能とする第１継手と、前記ノズルを水平方向に回動自在とする第２継手とを備えていることを特徴とする遊技媒体貸出機のノズルシュート。
【請求項３】
前記バックベースと前記ノズルガイドとの間に、該ノズルガイドを少なくとも３段階で位置決めする位置決め機構が設けられていることを特徴とする請求項２に記載の遊技媒体貸出機のノズルシュート。
【請求項４】
前記ノズルガイドと前記ノズルとの間に、該ノズルを所定の回動角度で位置決めするクリックストッパ機構が設けられていることを特徴とする請求項２または請求項３に記載の遊技媒体貸出機のノズルシュート。
【請求項５】
隣接して配置される遊技機の受け皿に遊技媒体を払い出す遊技媒体貸出機のノズルシュートであって、前記遊技媒体貸出機の遊技媒体払出口に取り付けられるバックベースと、前記遊技媒体の通路を有するノズルと、前記バックベースと前記ノズルとの間に介装され、前記遊技媒体払出口から連なる遊技媒体の通路を有するノズルガイドとを有し、該ノズルガイドは、前記バックベースと水平方向に回動自在とする第３継手と、前記ノズルを上下方向に回動可能とする第４継手とを備えていることを特徴とする遊技媒体貸出機のノズルシュート。
【発明の詳細な説明】
【技術分野】
【０００１】
本発明は、例えば、スロットマシンのような、メダルを遊技媒体とした遊技機に隣接して設置される遊技媒体貸出機およびそのノズルシュートに関し、さらに詳しくは、多種類の遊技機に対して幅広く適用することが可能な遊技媒体貸出機およびそのノズルシュートに関する。
【背景技術】
【０００２】
パチンコ店などの遊技店には、スロットマシンのような、メダルを遊技媒体とした遊技機が配置されている。そして、貨幣やカードなどでメダルの貸出を行う遊技媒体貸出機としては、遊技機から離れた場所に配置されるスタンドアロン形のもの、または遊技機に隣接して配置されるものが知られている。このうち、遊技機に隣接して配置される遊技媒体貸出機は、遊技を中断するとなくメダルなどの遊技媒体を購入できるので、遊技者にとって便利である。
【０００３】
図５は、遊技機７０とこれに隣接して配置される従来の遊技媒体貸出機５０を示し、（ａ）は正面図、（ｂ）は側面図である。図５で、遊技媒体貸出機５０は、その上部に、貨幣やカードなどを投入する投入口５２と、投入金額やエラーなどを表示する表示部５３が設けられ、また中間には、遊技媒体貸出機５０内のメダルが不足した場合に、遊技店側が遊技媒体貸出機５０内のメダルホッパー（図示せず）にメダルを補給するために開閉する鍵穴５４付きの扉５５と、また下部には、ノズルシュート６０がそのノズル６２を下傾状態にして設けられ、メダルホッパーから送り出された遊技媒体を、ノズル６２の先端部６２ｂから、遊技機７０の受け皿７１に払い出すように構成されている。メダルの補給は、遊技媒体貸出機５０のメダルホッパーのみでなく、遊技機７０が島内に配置されている場合、遊技機７０の前面扉７３を日中に何回も開けて行わることが多い。なお、ノズル６２は部品とし、このノズルと他の部品を組み立てたものをノズルシュート６０として説明する。
【０００４】
ところで、遊技機７０の機種変更時、メンテナンスやメダルの補給などで遊技機７０の前面扉７３を開ける際、遊技媒体貸出機５０のノズル６２の先端部６２ｂが遊技機７０側に出ていると、作業の邪魔になることがある。これを解決しようと、特許文献１（特開平１１−３４２２５８号公報）には、ノズル６２を水平方向に回転可能とした遊技媒体貸出機およびそのノズルシュートが提案されている。
【０００５】
一方、機種により遊技機７０の受け皿７３の高さ位置が異なる場合、遊技媒体貸出機５０からの遊技媒体の払い出しが困難となることがある。これを解決しようと、特許文献２（特開２００２−２１０２１５号公報）には、ノズル６２をその軸心回りに回転可能とした遊技媒体貸出機におけるノズルシュートが提案されている。
【０００６】
【特許文献１】特開平１１−３４２２５８号公報
【特許文献２】特開２００２−２１０２１５号公報
【発明の開示】
【発明が解決しようとする課題】
【０００７】
近年の遊技機は遊技者を楽しませるため、その機種も多くなり、また遊技機を頻繁に交換するようになってきている。しかしながら、上記特許文献１（特開平１１−３４２２５８号公報）に開示される遊技媒体貸出機およびそのノズルシュートでは、遊技機の機種変更により受け皿の高さ位置が大きく変わった場合には対応できないことがある。一方、特許文献２（特開２００２−２１０２１５号公報）に開示される遊技媒体貸出機におけるノズルシュートは、遊技機の受け皿の高さが変化しても遊技媒体を払い出すことは可能であるが、遊技機の機種変更時、メンテナンスやメダルの補給などで遊技機の前面扉を開ける際、邪魔になることがある。
【０００８】
本発明の課題は、遊技機の機種変更により受け皿の高さ位置が大きく変わっても、遊技媒体を払い出すことができ、かつ、遊技機の機種変更時、メンテナンスやメダルの補給などで遊技機の前面扉を開ける際、邪魔になることのない遊技媒体貸出機およびそのノズルシュートを得ることにある。
【課題を解決するための手段】
【０００９】
本発明者らは、遊技媒体貸出機のノズルシュートを、そのノズルシュートを構成するノズルの基端部で、上下方向に回動可能で少なくとも３段階で位置決めし、かつ水平方向に回動自在にすることで、結果としてノズルの先端部の移動量が大きくなり、上記課題が解決できるとの知見を得、本発明に想到した。
【００１０】
すなわち、第１発明の遊技媒体貸出機は、隣接して配置される遊技機の受け皿に遊技媒体を払い出す遊技媒体貸出機であって、該遊技媒体貸出機に設けられたノズルシュートが、該ノズルシュートを構成するノズルの基端部で、上下方向に回動可能で少なくとも３段階で位置決めされ、かつ水平方向に回動自在にされていることを特徴とする。
上記構成において、特に、ノズルシュートを構成するノズルの基端部で上下方向に回動可能にされているので、ノズルの先端部の上下方向の移動量が大きくなる。したがって、ノズルシュートの高さ方向の調整範囲も大きくなり、遊技機の機種変更により受け皿の高さ位置が大きく変わっても、遊技媒体を払い出すことができる遊技媒体貸出機となる。また少なくとも３段階で位置決めされているので、遊技機の機種により受け皿の高さ位置を位置決めできる遊技媒体貸出機となる。さらに、ノズルシュートを構成するノズルの基端部で水平方向に回動自在にされているので、ノズルの先端部の水平方向の移動量が大きくなる。したがって、遊技機の機種変更時、またはメンテナンスやメダルの補給などでなどで遊技機の前面扉を開ける際、ノズルの先端が前面扉の前を塞がなくなるので、作業の邪魔にならない遊技媒体貸出機となる。
さらに、上記のとおり、ノズルの先端部の上下方向および水平方向ともに移動できることから、ノズルの先端部を斜め方向にも移動でき、またその移動量も大きく、多機種の遊技機に対応することのできる遊技媒体貸出機となる。
なお、基端部とは、ノズルシュートの根元付近のみでなく、上記機能を有するものであれば、根元から離れたノズルシュートの中間を含むものとする。
【００１１】
次に、第２発明に係る遊技媒体貸出機のノズルシュートは、隣接して配置される遊技機の受け皿に遊技媒体を払い出す遊技媒体貸出機のノズルシュートであって、前記遊技媒体貸出機の遊技媒体払出口に取り付けられ、払い出される遊技媒体を案内する案内口を有するバックベースと、該バックベースの案内口に連なる前記遊技媒体の通路を有するノズルと、前記バックベースと前記ノズルとの間に介装されるノズルガイドとを有し、該ノズルガイドは、前記バックベースと上下方向に回動可能とする第１継手と、前記ノズルを水平方向に回動自在とする第２継手とを備えていることを特徴とする。
【００１２】
上記構成において、ノズルガイドでの、バックベースとの上下方向に回動可能な第１継手により、ノズルガイドを上下方向に回動させることができ、このノズルガイドに連結されたノズルを上下方向に回動させ、ノズルの先端部の上下方向の移動量を大きくする。したがって、遊技機の機種変更により受け皿の高さ位置が大きく変わっても、遊技媒体を払い出すことができる遊技媒体貸出機のノズルシュートとなる。
また、ノズルガイドでの、ノズルとの水平方向に回動自在な第２継手により、ノズルを水平方向に回動させ、ノズルの先端部の水平方向の移動量を大きくする。したがって、遊技機の機種変更時、またはメンテナンスやメダルの補給などで遊技機の前面扉を開ける際、ノズルの先端が前面扉の前を塞がなくなるので、作業の邪魔にならない遊技媒体貸出機のノズルシュートとなる。
さらに、上記のとおり、ノズルの先端部の上下方向および水平方向ともに移動できることから、ノズルの先端部を斜め方向にも移動でき、またその移動量も大きく、多機種の遊技機に対応することのできる遊技媒体貸出機のノズルシュートとなる。
【００１３】
上記第２発明のノズルシュートにおいては、前記バックベースと前記ノズルガイドとの間に、該ノズルガイドを少なくとも３段階で位置決めする位置決め機構が設けられていることが好ましい。これにより、隣接する遊技機の受け皿との高さを位置決め機構で選び、位置決めすることができる。
【００１４】
また上記第２発明のノズルシュートにおいては、前記ノズルガイドと前記ノズルとの間に、該ノズルを所定の回動角度で位置決めするクリックストッパ機構が設けられていることが好ましい。このクリックストッパ機構により、ノズルを水平方向または上下方向に回動した後、簡単に位置決めすることができ、使用中に動くこともない。したがって、遊技媒体の床面などへの落下を少なくして遊技機の受け皿への払い出しが確実に行え、さらに、隣接する遊技機の前面扉の前からノズルの先端部を退避させ、機種変更、メンテナンスやメダルの補給などを効率良く行うことができる。
【００１５】
次に、第３発明の遊技媒体貸出機のノズルシュートは、隣接して配置される遊技機の受け皿に遊技媒体を払い出す遊技媒体貸出機のノズルシュートであって、前記遊技媒体貸出機の遊技媒体払出口に取り付けられるバックベースと、前記遊技媒体の通路を有するノズルと、前記バックベースと前記ノズルとの間に介装され、前記遊技媒体払出口から連なる遊技媒体の通路を有するノズルガイドとを有し、該ノズルガイドは、前記バックベースと水平方向に回動自在とする第３継手と、前記ノズルを上下方向に回動可能とする第４継手とを備えていることを特徴とする。
【００１６】
上記構成において、ノズルガイドでの、バックベースとの水平方向に回動自在な第３継手により、ノズルガイドを水平方向に回動させ、このノズルガイドに連結したノズルを水平方向に回動させ、ノズルの先端部の水平方向の移動量を大きくする。したがって、遊技機の機種変更時、またはメンテナンスやメダルの補給などで遊技機の前面扉を開ける際、ノズルの先端が前面扉の前を塞がなくなるので、作業の邪魔にならない遊技媒体貸出機のノズルシュートとなる。また、ノズルガイドでの、ノズルとの上下方向に回動可能な第４継手により、ノズルを上下方向に回動させることができ、ノズルの先端部の移動量を大きくする。したがって、遊技機の機種変更により受け皿の高さ位置が大きく変わっても、遊技媒体を払い出すことができる遊技媒体貸出機のノズルシュートとなる。
【発明の効果】
【００１７】
本発明に係る遊技媒体貸出機およびそのノズルシュートによれば、遊技機の機種変更により受け皿の高さ位置が大きく変わっても、遊技媒体を払い出すことができ、かつ、遊技機の機種変更時、またはメンテナンスやメダルの補給などで遊技機の前面扉を開ける際、邪魔になることがない。
【発明を実施するための最良の形態】
【００１８】
次に、発明の実施の形態の一例を、図１乃至図４に基づいて詳細に説明する。
【００１９】
（実施の形態１）
図１は、実施の形態１に係る、遊技機７０とこれに隣接して配置される遊技媒体貸出機１０を示し、（ａ）は正面図、（ｂ）は側面図である。図１で、遊技媒体貸出機１０は、隣接して配置される遊技機１０の受け皿に遊技媒体を払い出すものであって、遊技媒体貸出機１０に設けられたノズルシュート２０が、ノズルシュート２０を構成するノズル２２の基端部２２ａで上下方向（θｈ）に回動可能で、水平方向（θｂ）に回動自在にされている。特に、ノズル２２の基端部２２ａで上下方向（θｈ）に回動可能にしているので、ノズル２２の先端２２ｂの移動量が大きくなる。したがって、ノズルシュート２０の高さ方向の調整範囲も大きくなり、遊技機７０の種類により受け皿７１の高さの差が大きく変わっても、遊技媒体を払い出すことができる遊技媒体貸出機１０となる。さらに、ノズルシュート２０を水平方向（θｂ）に回動自在にしているので、遊技機７０の機種変更、メンテナンスやメダルの補給などで遊技機７０の前面扉７３を開ける際、ノズルシュート２０が前面扉７３の前を塞がなくなり、作業の邪魔にならない遊技媒体貸出機１０となる。
【００２０】
図２は、図１の遊技媒体貸出機１０での、矢視Ａで囲むノズルシュート２０を示し、（ａ）は（ｂ）での矢視Ｂ−Ｂ断面図、（ｂ）は側断面図である。また、図３は、図２でのノズルシュート２０を理解し易くするための組み立て前の分解図を示し、（ａ）は一部断面を含む平面図、（ｂ）は側断面である。図２および図３で、遊技媒体貸出機１０のノズルシュート２０は、遊技媒体貸出機１０の遊技媒体払出口に取り付けられ、払い出される遊技媒体を案内する案内口２１ａを有するバックベース２１と、このバックベース２１の案内口２１ａに連なる遊技媒体通路２２ｇを有するノズル２２と、バックベース２１とノズル２２との間に介装されるノズルガイド２３とを有し、このノズルガイド２３は、バックベース２１と上下方向に回動可能な第１継手２１ｄ（２３ｄ，２４ｄ）と、ノズル２２を水平方向に回動自在とする第２継手２２ｅ（２３ｅ）と、フロントカバー２４を備えている。なお、２７ａ、２７ｂ、２７ｃは小ネジを示している。
【００２１】
第１継手２１ｄ（２３ｄ，２４ｄ）は、バックベース２１の左右の両側に形成した半割孔２１ｄとフロントカバー２４の左右の両側に形成した半割孔２４ｄを軸受として、これにノズルガイド２３の左右の両端に延出した軸２３ｄを嵌挿し、これにより、軸２３ｄを上下方向に回動可能にしている。そして、第１継手２１ｄ（２３ｄ，２４ｄ）により、ノズル２３を上下方向（θｈ）に回動可能にし、図１での隣接する遊技機７０の受け皿７１との高さを調整（図２（ｂ）での二点鎖線）できるようにしている。
【００２２】
第２継手２２ｅ（２３ｅ）は、ノズルガイド２３の内側に形成された割孔２３ｅと押板２６間を軸受として、これにノズル２２の上下の両端に延出した軸２２ｅを嵌挿し、これにより、軸２２ｅを水平方向に回動自在にしている。そして、第２継手２２ｅ（２３ｅ）により、ノズル２２を水平方向（θｂ）に回動自在にし、隣接する遊技機の前面扉の前からノズル２２の先端部２２ｂを退避（図２（ａ）での二点鎖線）させ、機種変更やメンテナンスを効率良く行えるようにしている。
【００２３】
さらに、バックベース２１とノズルガイド２３との間には、ノズルガイド２３を上下方向に回動した後に、位置決めできる位置決め機構２１ｃ（２３ｃ）を設けている。この位置決め機構２１ｃ（２３ｃ）は、バックベース２１に半割孔２１ｄを中心として３個所の孔２１ｃを設け、またノズルガイド２３に軸２３ｄを中心としてネジ孔２３ｃを設け、ノズル２３を上下方向に回動（図２（ｂ）での二点鎖線）させて、隣接する遊技機７０の受け皿７１との高さを３個所の孔２１ｃから選んで調整した後、小ネジ２７ｃで固定できるようにしている。
【００２４】
またさらに、ノズルガイド２３とノズル２２との間には、ノズル２２を水平方向に所定の回動角度位置で固定するクリックストッパ機構２２ｆ（２３ｆ）を設けている。このクリックストッパ機構２２ｆ（２３ｆ）は、ノズルガイド２３にはバネで下方へ付勢されるよう保持されたストッパピン２３ｆを設け、またノズル２２にはストッパピン２３ｆに係合する放射状の山形溝２２ｆを設けて構成している。ノズル２２を水平方向に回動させて、隣接する遊技機の前面扉の前からノズル２２の先端部２２ｂを退避した後、固定することで、遊技機の機種変更、メンテナンスやメダルの補給などを効率良く行えるようにしている。
【００２５】
ノズルシュート２０の組み立ては、以下のとおり行う。先ず、ノズル２２の軸２２ｅを、ノズルガイド２３と押板２６とで、クリックストッパ機構２２ｆ（２３ｆ）を含んで挟み、小ネジ２７ｂで締め付け、組み立てる。次いで、組み立てたノズル２２とノズルガイド２３を、遊技媒体貸出機１０のアンダーパネル１１の開口部に挿入し、同時に、アンダーパネル１１の内面からのバックベース２１と、アンダーパネル１１の外面からのフロントカバー２４とで、ノズルガイド２３の軸２３ｄを挟み、バックベース２１とフロントカバー２４を小ネジ２７ａで締め付け、ノズルシュート２０を組み立てる。そして、フロントカバー２４の隅部を小ネジなどによりアンダーパネル１１に締着して、組み立てたノズルシュート２０を遊技媒体貸出機１０本体のアンダーパネル１１に取り付ける。
【００２６】
（実施の形態２）
図４は、実施の形態２の遊技媒体貸出機のノズルシュート２０を模式的に示す側断面である。なお、図４中、図１乃至図３と同じ機能を有するものは同符号で示している。図４で、遊技媒体貸出機のノズルシュート２０は、隣接して配置される遊技機の受け皿に遊技媒体を払い出す遊技媒体貸出機のノズルシュート２０であって、遊技媒体貸出機のアンダーパネル１１に取り付けられるバックベース２１と、遊技媒体通路２２ｇを有するノズル２２と、バックベース２１とノズル２２との間に介装され、遊技媒体払出口から連なる遊技媒体通路２３ｇを有するノズルガイド２３とを有し、このノズルガイド２３は、バックベース２１と水平方向に回動自在とする第３継手２１ｅ（２３ｅ）と、ノズル２２を上下方向（θｈ）に回動可能とする第４継手２２ｄ（２１ｄ，２４ｄ）とを備えている。なお、第３継手および第４継手は、前述した実施の形態１での第１継手および第２継手と、上下方向と水平方向の組み合わせは異なるものの、同様にして構成している。
【００２７】
そして、第３継手２１ｅ（２３ｅ）により、ノズル２２を水平方向に回動自在とすることで、隣接する遊技機の前面扉の前からノズル２２の先端部２２ｂを退避させ、機種変更、メンテナンスやメダルの補給などを効率良く行うことができるようにしている。また、第４継手２２ｄ（２１ｄ，２４ｄ）により、ノズル２３を上下方向（θｈ）に回動可能とすることで、隣接する遊技機の受け皿との高さを調整できるようにしている。
【００２８】
さらに、図示しないが、実施の形態１と同様に、バックベース２１とノズルガイド２３との間には、ノズルガイドを水平方向に所定の回動角度位置で固定するクリックストッパ機構を設けている。これにより、ノズル２３を水平方向に回動させ、隣接する遊技機の前面扉の前からノズル２２の先端部２２ｂを退避した後、固定し、機種変更、メンテナンスやメダルの補給を効率良く行えるようにしている。
またさらに、図示しないが、ノズルガイド２３とノズル２２との間には、実施の形態１と同様に、ノズルを上下方向に少なくとも３段階で位置決めする位置決め機構を設けている。これにより、ノズル２３を上下方向（θｈ）に回動させて、隣接する遊技機の受け皿との高さを調整した後、位置決めできるようにしている。
【産業上の利用可能性】
【００２９】
本発明の遊技媒体貸出機およびそのノズルシュートは、スロットマシンに限らず、パチンコなどの遊技機にも適宜設計を加えることで適用が可能である。
【図面の簡単な説明】
【００３０】
【図１】実施の形態１に係る、遊技機７０とこれに隣接して配置される遊技媒体貸出機１０を示し、（ａ）は正面図、（ｂ）は側面図である。
【図２】図１の遊技媒体貸出機１０での、矢視Ａで囲むノズルシュート２０を示し、（ａ）は（ｂ）での矢視Ｂ−Ｂ断面図、（ｂ）は側断面図である。
【図３】図２でのノズルシュート２０を理解し易くするための組み立て前の分解図を示し、（ａ）は一部断面を含む平面図、（ｂ）は側断面面である。
【図４】実施の形態２の遊技媒体貸出機のノズルシュート２０を模式的に示す側断面である。
【図５】遊技機７０とこれに隣接して配置される従来の遊技媒体貸出機５０を示し、（ａ）は正面図、（ｂ）は側面図である。
【符号の説明】
【００３１】
１０：遊技媒体貸出機
１１：アンダーパネル
２０：ノズルシュート
２１：バックベース
２１ａ：案内口
２１ｃ（２３ｃ）：位置決め機構
２１ｄ（２３ｄ，２４ｄ）：第１継手
２１ｅ（２３ｅ）：第３継手
２２：ノズル
２２ａ：基端部
２２ｂ：先端部
２２ｄ（２１ｄ，２４ｄ）：第４継手
２２ｅ：軸
２２ｅ（２３ｅ）：第２継手
２２ｆ：ストッパピン
２２ｆ（２３ｆ）：クリックストッパ機構
２２ｇ：遊技媒体通路
２３：ノズルガイド
２３ｃ：クリックストッパ機構（凹部）
２３ｄ：軸
２３ｅ：割孔
２３ｆ：ストッパピン
２３ｇ：遊技媒体通路
２４：フロントカバー
２４ｄ：半割孔
２６：押板
２７ａ、２７ｂ：小ネジ
５０：遊技媒体貸出機
５２：投入口
５３：表示部
６０：ノズルシュート
６２：ノズル
６２ｂ：先端部
θｂ：水平方向に回動
θｈ：上下方向に回動
【図１】
2005253594.tif 000003
【図２】
2005253594.tif 000004
【図３】
2005253594.tif 000005
【図４】
2005253594.tif 000006
【図５】
2005253594.tif 000007